(57)【特許請求の範囲】
【請求項１】
一方の端面から入射した光が長手方向に沿って形成された発光面から出射するとともに他方の端面から導出される長尺の導光材と、導光材の一方の端面に対向して配置され導光材に光を照射する光源とを備えたエッジライト式の照明ユニットが、長手方向に複数連続して配置されている照明構造であって、
照明ユニットの導光材は、入射側の端面から長手方向に離れるに従って発光面とその対向面との間隔が狭くなる形状を有しており、外部からの光が入光可能な入光面部を有する入光部を光源が配置される一方の端部に備えるとともに、外部へ光を導出可能な導出面部を有する導出部を他端部に備えており、前記入光部の入光面部は発光面に隣接して形成されており、前記導光材の一方の端部では光源からの光が入射する入射面が前記入光部の入光面部よりも前記導出部側に形成されており、前記入射面の発光面側の縁部である前記入射面と前記入光部との境界には切り欠きが設けられ、前記切り欠きに光源の保持部材の一部が収納されて光源から発光面外部への直射光を遮断する遮蔽部が形成されており、照明ユニットの導光材の導出部の導出面部と、隣接する照明ユニットの導光材の入光部の入光面部とが面接触して配置されていることを特徴としている照明構造。
【請求項２】
前記保持部材が前記光源の導光材長手方向外側に配置されて導光材から光源外方に抜ける光を遮断する遮蔽部が形成されていることを特徴とする請求項１に記載の照明構造。
【請求項３】
一方の端面から入射した光が長手方向に沿って形成された第１の発光面から出射するとともに他方の端面から導出される長尺の導光材と、導光材の一方の端面に対向して配置され導光材に光を照射する光源とを備え、長手方向に連続配置可能なエッジライト式の照明ユニットであって、
前記導光材は、入射側の端面から長手方向に離れるに従って第１の発光面とその対向面との間隔が狭くなる形状を有しており、外部からの光が入光可能な入光面部を有する入光部を光源が配置される一方の端部に備えるとともに、外部へ光を導出可能な導出面部を有する導出部を他端部に備えており、前記入光部の入光面部は第１の発光面に隣接して形成されており、前記導光材の一方の端部では光源からの光が入射する入射面が前記入光部の入光面部よりも前記導出部側に形成されており、前記入射面の発光面側の縁部である前記入射面と前記入光部との境界には切り欠きが設けられ、前記切り欠きに光源の保持部材の一部が収納されて光源から発光面外部への直射光を遮断する遮蔽部が形成されており、複数の照明ユニットが長手方向に連続配置された際には、照明ユニットの導光材の入光部では当該照明ユニットの入光部側の端部に隣接する照明ユニットからの光が取り込まれ、導出部では当該照明ユニットの導光材の入射面および入光部から取り込まれた光が当該照明ユニットの導出部側の端部に隣接する照明ユニットに導出されることを特徴とする照明ユニット。
【請求項４】
前記保持部材が前記光源の導光材長手方向外側に配置されて導光材から光源外方に抜ける光を遮断する遮蔽部が形成されていることを特徴とする請求項３に記載の照明ユニット。
【請求項５】
第１の発光面の対向面を除く導光材の側面部に、導光材の一方の端面から入射した光が出射する第２の発光面が形成されていることを特徴とする請求項３または４に記載の照明ユニット。
【発明の詳細な説明】
【技術分野】
【０００１】
本発明は、照明構造および照明ユニットに関する。
【背景技術】
【０００２】
従来、少なくとも一方の端面に光の入射面を有し入射面から入射した光が内部で反射して発光面から出射する導光材と、導光材の入射面に配置され導光材に光を照射する光源とを備えたエッジライト式の照明装置が知られている（例えば、特許文献１，２参照）。これらの照明装置は液晶テレビ、パソコン等の液晶ディスプレイ用の照明装置であり、発光面の輝度を均一にするために導光材を楔形状にしたり、導光材の一方の面に階段状の段差を設けたりする等の工夫がなされている。
【０００３】
ライン型に発光するライン照明（照明ユニット）においても、図９に示すように、長尺な導光材４１の両端面から光を入光させて発光させるエッジライト方式が採用される場合がある。光源としては小型化を図るためにＬＥＤ４２が用いられ、ＬＥＤ４２を備えたＬＥＤ基板４３を断面コ字形状の基板ケース４４に内装した光源ユニット４５が導光材４１の端部を覆うように装着される。このようなライン照明４０を用いて長尺に発光させるために、図９に示すように長手方向にライン照明４０，４０’を連続配置して使用されることがある。
【先行技術文献】
【特許文献】
【０００４】
【特許文献１】特開２００１−２０２８１７号公報
【特許文献２】特開平６−２３０３７６号公報
【発明の概要】
【発明が解決しようとする課題】
【０００５】
しかしながら、ライン照明４０，４０’の両端部には上記した光源ユニット４５，４５が装着されているため、長手方向に配置した隣接するライン照明４０，４０’間の連結部４６を導光材４１部分と同様に発光させることが難しい。そのためライン照明４０，４０’間の連結部４６が暗くなり明暗差が顕著に出るので全体の外観が低下するという問題があった。
【０００６】
本発明は以上の通りの事情に鑑みてなされたものであり、以下のことを課題としている。すなわち、照明ユニットを長手方向に連続配置した場合において長手方向にわたってムラなく発光させることができ、隣接する照明ユニット間の連結部が目立たない良好な外観を有する照明構造および照明ユニットを提供する。
【課題を解決するための手段】
【０００７】
本発明は以下のことを特徴としている。
【０００８】
第１に、本発明の照明構造は以下の構成を有している。長尺の導光材と、導光材に光を照射する光源とを備えたエッジライト式の照明ユニットが長手方向に複数連続して配置されている。前記導光材は、一方の端面から入射した光が長手方向に沿って形成された発光面から出射するとともに他方の端面から導出される。前記導光材は、入射側の端面から長手方向に離れるに従って発光面とその対向面との間隔が狭くなる形状を有しており、外部からの光が入光可能な入光面部を有する入光部を光源が配置される一方の端部に備えている。また、外部へ光を導出可能な導出面部を有する導出部を他端部に備えている。前記入光部の入光面部は発光面に隣接して形成されている。前記導光材の一方の端部では光源からの光が入射する入射面が前記入光部の入光面部よりも前記導出部側に形成されており、前記入射面の発光面側の縁部である前記入射面と前記入光部との境界には切り欠きが設けられ、前記切り欠きに光源の保持部材の一部が収納されて光源から発光面外部への直射光を遮断する遮蔽部が形成されている。照明ユニットの導光材の導出部の導出面部と、隣接する照明ユニットの導光材の入光部の入光面部とが面接触して配置されている。
【０００９】
第２に、上記第１の発明において、前記保持部材が前記光源の導光材長手方向外側に配置されて導光材から光源外方に抜ける光を遮断する遮蔽部が形成されている。
【００１０】
第３に、本発明の照明ユニットは以下の構成を有している。一方の端面から入射した光が長手方向に沿って形成された第１の発光面から出射するとともに他方の端面から導出される長尺の導光材と、導光材の一方の端面に対向して配置され導光材に光を照射する光源とを備えている。長手方向に連続配置可能なエッジライト式の照明ユニットである。照明ユニットの導光材は、入射側の端面から長手方向に離れるに従って第１の発光面とその対向面との間隔が狭くなる形状を有しており、外部からの光が入光可能な入光面部を有する入光部を光源が配置される一方の端部に備えている。また、外部へ光を導出可能な導出面部を有する導出部を他端部に備えている。前記入光部の入光面部は第１の発光面に隣接して形成されている。前記導光材の一方の端部では光源からの光が入射する入射面が前記入光部の入光面部よりも前記導出部側に形成されており、前記入射面の発光面側の縁部である前記入射面と前記入光部との境界には切り欠きが設けられ、前記切り欠きに光源の保持部材の一部が収納されて光源から発光面外部への直射光を遮断する遮蔽部が形成されている。複数の照明ユニットが長手方向に連続配置された際には、照明ユニットの導光材の入光部では当該照明ユニットの入光部側の端部に隣接する照明ユニットからの光が取り込まれる。導出部では当該照明ユニットの導光材の入射面および入光部から取り込まれた光が当該照明ユニットの導出部側の端部に隣接する照明ユニットに導出される。
【００１５】
第４に、上記第３の発明において、前記保持部材が前記光源の導光材長手方向外側に配置されて導光材から光源外方に抜ける光を遮断する遮蔽部が形成されている。
【００１７】
第５に、上記第３または４の発明において、第１の発光面の対向面を除く導光材の側面部に、導光材の一方の端面から入射した光が出射する第２の発光面が形成されている。
【発明の効果】
【００１８】
第１乃至第２の発明によれば、連続配置した隣接する照明ユニット間の連結部を含めて長手方向にわたって簡単な構成でムラなく一様に発光させることが可能となり、連結部が目立たない良好な外観が実現される。また、導光材の端部から漏れる光を隣接する照明ユニットの導光材に入光させることができるので、発光効率を向上させることができる。
【００１９】
また、光源からの光が入射する入射面の発光面側の縁部に光源から発光面外部への直射光を遮断する遮蔽部が設けられているので、外部から照明ユニットを直視した場合でも光源の存在が分からず見栄えを向上させることが可能となり、良好な外観が実現される。
【００２０】
第３の発明によれば、照明ユニット同士を連続配置した場合、隣接する照明ユニット間の連結部を含めて長手方向にわたって簡単な構成でムラなく発光させることが可能となり、連結部が目立たない良好な外観が実現される。また、導光材の端部から漏れる光を隣接する照明ユニットの導光材に入光させることができるので、発光効率を向上させることができる。
【００２１】
第４の発明によれば、外部から照明ユニットを直視した場合でも光源の存在が分からず見栄えを向上させることが可能となり、良好な外観が実現される。
【００２２】
第５の発明によれば、二方向に発光させることができる照明ユニットが得られる。
【図面の簡単な説明】
【００２３】
【図１】本発明の照明構造の一実施形態を示す照明ユニットの断面図である。
【図２】図１の照明ユニットが連続配置された状態の断面図である。
【図３】図１の照明ユニットの要部断面図である。
【図４】図１の照明ユニットの分解斜視図である。
【図５】本発明の照明構造の別の一実施形態を示す照明ユニットの断面図である。
【図６】図５の照明ユニットが連続配置された状態の断面図である。
【図７】本発明の照明構造のさらに別の一実施形態を示す照明ユニットの導光材の斜視図である。
【図８】（ａ）図７の照明ユニットが連続配置される前の状態の斜視図であり、（ｂ）図７の照明ユニットが連続配置された状態の斜視図である。
【図９】従来のライン照明を連続配置させた連結部の概要図である。
【発明を実施するための形態】
【００２４】
以下、図面を参照して本発明を詳細に説明する。図１は、本発明の照明構造の一実施形態を示す照明ユニットの断面図であり、図２は、図１の照明ユニットが連続配置された状態の断面図である。図３は、図１の照明ユニットの要部断面図であり、図４は、図１の照明ユニットの分解斜視図である。
【００２５】
本発明の照明構造の一実施形態である照明ユニット１は、長尺な導光材２と、導光材２の側部１６を覆う長尺なケース部材２０と、ケース部材２０の長手方向の一方の端部に装着される光源ユニット３０とを備えている。
【００２６】
ケース部材２０は、両側端面が開口し、背板２１、底板２２、前板２３で構成され断面略コ字形状を有しており、導光材２の側部１６がケース部材２０で覆われると、導光材２の上面部３がケース部材２０から露出する。露出した上面部３は導光材２の一側面であり、断面半円形状の発光面４を有し、発光面４から放射状に光が出射される。
【００２７】
光源ユニット３０は、図１、図３に示されるように、ＬＥＤ等の光源３１を備えた光源基板３２及び光源基板３２を保持する基板ケース３３で構成されている。この光源ユニット３０は、光源３１が導光材２の端面６部分に対向して配置されるようにケース部材２０の端部に装着されており、ケース部材２０の側端面の開口を閉塞している。光源ユニット３０の光源３１を発光させると、導光材２の端面６から光源３１の光が内部に導入され、発光面４から出射される。なお、ケース部材２０の他端部には、断面Ｌ字形状のキャップ部材３６が装着され、ケース部材２０の他方の側端面の開口が閉塞される。本実施形態では、両側端面が開口するケース部材２０が用いられ、両側端面の開口を閉塞するものとして光源ユニット３０の基板ケース３３及びキャップ部材３６が用いられているが、両側端面が閉塞したケース部材が用いられてもよい。この場合、光源が配置される側のケース部材の側端面は透光性を有するものとされ、その側端面の外方に、導光材の端面部分に対向して光源が配置される。
【００２８】
導光材２は、例えば、アクリル樹脂やポリカーボネート樹脂等の合成樹脂、ガラス等の透光性を有し屈折率の高い部材で構成され、長手方向の一方の端面６に光源３１からの光が入射する入射面７を有する。また、発光面４の対向面１７、つまり、導光材２の裏面には、光を拡散導出するための導光パターン１４が設けられていてもよい。導光パターン１４は、例えば、対向面１７に反射シートを貼着したり反射性の物質を印刷や蒸着したりすることによって形成される。また導光パターン１４は、対向面１７に凹凸状に加工もしくは成形を施すことによっても形成することができる。このような導光パターン１４は導光材２の長手方向全長にわたって設けられ、発光面４から光を放射状に出射可能にしている。
【００２９】
本実施形態の導光材２は、入射面７としての一方の端面６から他方の端面６’に向かって入射面７から離れるに従い導光材２の発光面４とその対向面１７との間隔が徐々に狭くなる楔型形状を有している。つまり、図１及び図２中の導光材２についてその図面に対して右方向に導光材２が徐々に薄くなっている。発光面４の対向面１７は、一方の端面６から他方の端面６’に向かって発光面４に近づくように直線的に傾斜する傾斜面５とされる。傾斜面５は、導光材２の長手方向に対して傾斜角度αの勾配をもっている。傾斜面５は平坦面とされているが、上記したように、凹凸状に加工されて導光パターン１４が形成されていてもよい。
【００３０】
このような楔型形状を有する導光材２は、一方の端面６から導光材２に入射した光（直進光）が導光材２の他方の端面６’に近づくに伴い対向面１７（傾斜面５）に当たりやすくなり光源３１からの光を対向面１７に反射させて発光面４から出射させることができる。このため、端面６から入射した光が他方の端面６’に直進して端面６’から抜けたりすることや繰り返し反射による減衰が抑制され、効率よく発光面４から出射させることができる。
【００３１】
本実施形態の導光材２は、さらに、外部からの光が入光可能な入光面部９を有する入光部８を光源３１が配置される一方の端部に備えるとともに、外部へ光を導出可能な導出面部１１を有する導出部１０を他端部に備えている。
【００３２】
導光材２の上面部３が入射面７よりも長手方向に突出されており、その突出部分に入光部８が形成されている。上面部３の端面６aには入光部８の入光面部９が形成されている。この入光面部９は、導光材２の発光面４に隣接して形成され、図３に示すように、入射面７に対して段差Ｌをもって入射面７に対して平行に形成されており、導光材２の端部は、段状に形成されている。そして入光面部９と入射面７との段差Ｌ内に光源ユニット３０が納まるように設置され、光源ユニット３０及びケース部材２０が入光部８の入光面部９よりも導光材２の長手方向外方に突出しないように構成されている。
【００３３】
導出部１０は、上記したように導光材２の他端部に形成されており、導光材２の端面６’が導出部１０の導出面部１１として構成される。導出部１０の導出面部１１は入光部８の入光面部９と平行な面である。また導出部１０は、キャップ部材３６よりも長手方向に突出されて形成されている。ここで導光材２の他端部は、発光面４が形成されている導光材２の上面部３の端部であり、導出部１０は上面部３の一部として構成されている。
【００３４】
入光部８の入光面部９及び導出部１０の導出面部１１の外形形状としては、特に限定されるものではなく、矩形、円形、半円等であってよいが、連続配置した際に導光材２からの光の導出及び入光を効果的に行うためには同一の形状でぴったりと合わさることが望ましい。また、入光部８の入光面部９及び導出部１０の導出面部１１の表面の形態としては、光を伝えることができれば特に制限されるものではなく、平坦面、凹凸面、波面等が考慮される。３本以上の導光材２を連続して用いる場合には、同一の形状でありぴったりと合わさることが望ましいが、同じ光量を有していれば各連結部が同程度の明るさになるので同一の面積の入光面積を持つことにしてもよい。本実施形態では、入光部８の入光面部９及び導出部１０の導出面部１１の表面形態はともに平坦面であり、外形形状はともに半円状であり同一面積を有している。
【００３５】
複数の照明ユニットを長手方向に連続して配置する際には、図２に示すように、照明ユニット１と別の照明ユニット１’とを発光面４，４’が同一面上になるように長手方向に並べて配置する。その際には、照明ユニット１の導光材２の導出部１０と別の照明ユニット１’の導光材２’の入光部８’とを突き合わせて導出部１０の導出面部１１と入光部８’の入光面部９’とを面接触させる。導出部１０と入光部８’とを面接触させることで、本来ならロス分として導光材２の端面から漏れる光を導出部１０を介して隣接する照明ユニット１’の入光部８’へと入光させることができる。また、導出部１０及び入光部８’はそれぞれ、発光面４，４’が形成されている導光材２，２’の上面部３，３’の一部として構成されているので、照明ユニット１，１’間で途切れずに発光面４，４’から発光可能である。さらに、照明ユニット１，１’間の連結部１２やその継ぎ目１５が目立たない良好な外観が実現される。入光部８’から入光した光は光源３１’から入射面７’より入射された光とともに導光材２’内において導光パターン１４’で拡散し発光面４’や端面６’に導出される。本実施形態では導光材２’が楔型形状を有しているため、光源３１’及び入光部８’から入光した光が楔型形状の導光材２’の傾斜面５’に当たりやすくなっており、また入光した光が傾斜面５’に当たると光源３１’から離れる方向で指向性を持つため、端面６’側へ抜ける光及び繰り返し反射のロスが軽減され、発光効率を高めることができる。
【００３６】
また、本実施形態では、光源３１が配置される側の導光材２の端部において、入射面７の発光面４側の縁部に切り欠き１３が設けられていてもよい。例えば、図３、図４に示されるように、導光材２の端部において入光部８と入射面７との境界に側部１６全幅にわたり切り欠き１３が設けられて凹溝が形成されている。この切り欠き１３は、光源３１から発光面４外部へ向かう直射光をその境界において反射させる効果を有している。外部から照明ユニット１を直視した場合、切り欠き１３が一種の遮蔽部として作用して光源３１が見えにくくなり、良好な外観が実現される。この効果を高めるために、光源ユニット３０の基板ケース３３の一部を前記切り欠き１３に収納して光源ユニット３０をケース部材２０に装着させる構成が考慮されてよい。例えば、光源ユニット３０の基板ケース３３として、板状の基板設置部３４とこの基板設置部３４から略垂直に立ち上がる板状の起立部３５とで構成される断面Ｌ字状の部材を採用し、前記切り欠き１３に起立部３５を収納させるものである。光源基板３２は基板ケース３３の内側に配置されている。この場合、基板ケース３３として光を透過しない金属や合成樹脂等の素材を用いることが望ましい。これによって、光源３１から発光面４外部へ向かう直射光が切り欠き１３に収納された基板ケース３３の起立部３５で遮断される。また導光材２から光源３１外方に抜ける光が基板ケース３３の基板設置部３４で遮断される。このように光源３１を保持する基板ケース３３が遮蔽部として作用するため、外部から照明ユニット１を直視した場合、光源３１の存在が分からず見栄えが向上し、良好な外観が実現される。また、起立部３５の発光面４側又は光源３１側の面に導光パターンが付与されていてもよい。起立部３５の導光パターン１４で光が反射し導出されるので、外部から照明ユニット１を直視した場合に光源３１の存在を目立たせないようにすることができる。
【００３７】
図５は、本発明の照明構造の別の一実施形態を示す照明ユニットの断面図であり、図６は、図５の照明ユニットが連続配置された状態の断面図である。なお、図１−４に示した部分と同一の部分については同じ符号を付し、説明を省略する。
【００３８】
本実施形態では、光源３１が配置される側の導光材２の端部において、入光部８の入光面部９が、入射面７よりも導光材２の導出部１０側に形成されている。具体的には、入光部８が形成されている上面部３に対して導光材２の側部１６が長手方向の外方に突出しており、その突出部分の端面６に入射面７が形成されている。上面部３の端面６ａには入光部８の入光面部９が形成されており、入光面部９と入射面７とは平行な面である。導光材２の端部には、上面部３と側部１６の突出部分とにより段差部１８が形成され、この段差部１８に、隣接する照明ユニットの導光材の導出部が納まるようになっている。例えば、複数の照明ユニットを長手方向に連続して配置する際には、図６に示すように、照明ユニット１と別の照明ユニット１’とを発光面４，４’が同一面上になるように長手方向に並べて配置する。その際には、照明ユニット１’の導光材２’の端部に形成されている段差部１８’に別の照明ユニット１の導出部１０を差し込み、導出部１０と入光部８’とを突き合わせて導出部１０の導出面部１１と入光部８’の入光面部９’とを面接触させる。
【００３９】
本実施形態では、導出部１０及び入光部８’はそれぞれ、発光面４，４’が形成されている導光材２，２’の上面部３，３’の一部として構成されているので、照明ユニット１，１’間で途切れずに発光面４，４’から発光可能である。ところで、上記したように、図１−図４の実施形態では導光材２の上面部３の突出部分に入光部８が形成されている。この実施形態の入光部８においては、発光面４からの発光が主に隣接する照明ユニットからの光によるものであるため、その発光は組み立てバラツキに影響されやすい。これに対して、本実施形態では入光部８’が形成されている上面部３’よりも導光材２’の側部が外方に突出しておりその突出部分に光源３１’から光が入射されるので、その突出部分に入射した光で入光部８’における発光面４’を発光させることができる。このため、組み立てバラツキの影響をあまり受けずに入光部８’を確実に発光させることができ、照明ユニット１，１’間の連結部１２を見栄えよく発光させることについての信頼性をより向上させることができる。
【００４０】
また、本実施形態では、導光材２の側部１６の突出部分が光源基板３２を保持する箱形の基板ケース３３で覆われており、基板ケース３３の一側面部３７が段差部１８に収納される隣接する照明ユニットの導光材の導出部よりも側部１６の突出部分側に配置されている。基板ケース３３は、光を透過しない金属や合成樹脂等の素材が用いられている。導光材２の拡散光を効率よく反射させるために上記した導光パターン１４が基板ケース３３に施されていてもよい。このようにすることで、光源３１から発光面４外部へ向かう直射光や光源３１外方に抜ける光が基板ケース３３で遮断される。このため、外部から照明ユニット１を直視した場合、基板ケース３３が遮蔽部として作用し、光源３１の存在が分からず見栄えが向上し、良好な外観が実現される。
【００４１】
また、発光面４の対向面１７である傾斜面５の勾配が入射面７から長手方向に離れるに従って段階的に小さくされていてもよい。例えば、本実施形態では、導光材２が楔型形状を有しているが、光源３１が配置される側の導光材２の端部近傍の勾配がそれ以外の部分の勾配よりも大きくなっており、光源３１側の導光材２端部の傾斜角度α１とそれ以外の部分の傾斜角度α２の関係はα１＞α２となっている。光源３１側の導光材２端部の傾斜角度がそれ以外の部分の傾斜角度よりも大きいため、光源３１からの光が光源３１側の導光材２の端部近傍の傾斜面５に当たりやすくなる。光源３１からの光が傾斜面５に当たると導光パターン１４で拡散して発光面４や導出部１０にに導出される。また、本実施形態のように、傾斜面５の勾配が段階的に小さくなることにより、導光材２全体の薄肉化が図られ、導光材２を安定して製造することができる。
【００４２】
図７は、本発明の照明構造のさらに別の一実施形態を示す照明ユニットの導光材の斜視図であり、図８（ａ）は、図７の照明ユニットが連続配置される前の状態の斜視図であり、図８（ｂ）は照明ユニットが連続配置された状態の斜視図である。なお、図１−６に示した部分と同一の部分については同じ符号を付し、説明を省略する。
【００４３】
本実施形態は、導光材２の二側面に発光面４，４ａが形成されている例である。本実施形態の導光材２は、図５，図６の楔型形状の導光材の側面部に、長手方向全長にわたって平板状の導光材が一体に設けられており、断面視略Ｌ字形状を有している。発光面４，４ａは、楔型形状の部分５０の側面と平板状の部分５１の側面にそれぞれ形成されており、二方向に発光可能とされている。導光材２の平板状の部分５１には、楔型形状の部分５０と同様に、外部からの光が入光可能な入光面部９ａを有する入光部８ａを光源が配置される一方の端部に備えるとともに、外部へ光を導出可能な導出面部１１ａを有する導出部１０ａを他端部に備えている。楔型形状の部分５０の入光面部９と平板状の部分５１の入光面部９ａは同一面上に形成されており、楔型形状の部分５０の導出面部１１と平板状の部分５１の導出面部１１ａは同一面上に形成されている。
【００４４】
複数の照明ユニットを長手方向に連続して配置する場合、図８に示すように、照明ユニット１の発光面４，４ａと照明ユニット１’の発光面４’，４ａ’とがそれぞれ同一面上になるように長手方向に並べる。その際、照明ユニット１の導光材２の導出面部１１，１１ａと隣接する照明ユニット１’の導光材２’の入光面部とが面接触して、照明ユニット１の導出部１０，１０ａと照明ユニット１’の入光部が接続される。また、照明ユニット１’の導光材２’の端部に装着されその一側面がケース部材２０’と同一面上に形成されている光源ユニット３０’の基板ケース３３’が、照明ユニット１のケース部材２０の端部に装着されているキャップ部材３６に当接する。このようにして照明ユニット１，１’が連続配置されると、照明ユニット１の導出部１０，１０ａから照明ユニット１’の入光部に光が取り込まれるので、照明ユニット１，１’間の連結部１２が効果的に見栄えよく発光される。
【符号の説明】
【００４５】
１  照明ユニット
２  導光材
４  発光面
５  傾斜面
６，６’  端面
８  入光部
９  入光面部
１０  導出部
１１  導出面部
１３  切り欠き
３１  光源
【図１】
0005437835.tif 000002
【図２】
0005437835.tif 000003
【図３】
0005437835.tif 000004
【図４】
0005437835.tif 000005
【図５】
0005437835.tif 000006
【図６】
0005437835.tif 000007
【図７】
0005437835.tif 000008
【図８】
0005437835.tif 000009
【図９】
0005437835.tif 000010